(57)【要約】【課題】ＹＶコイルのＹＶ補正可能量を増減しても偏向ヨーク全体の磁力線量を変化させることがなく、画歪やコンバーゼンス性能に影響を与えない偏向ヨークを提供することを目的とする。【解決手段】可変抵抗がセンター位置にあるときにはＹＶコイルの巻線２ｃ、２ｄ、２ｅ、２ｆの作る磁力線の強さ２３ｃ、２３ｄ、２３ｅ、２３ｆは同一であり、２３ｃと２３ｅ、２３ｄと２３ｆはそれぞれ相殺する方向に磁力線を作るので、青色電子ビーム７と赤色電子ビーム８はＹＶコイルから力を受けない。可変抵抗１４を回した場合にはＹＶコイルの巻線２ｃ、２ｄの作る磁力線がＹＶコイルの巻線２ｅ、２ｆの作る磁力線より強くなる。この磁力線から青色電子ビーム７と赤色電子ビーム８は力を受ける。このため青色電子ビーム７をより上方へ偏向させることができる。【選択図】　図２
2004063380.tif 000002
【特許請求の範囲】
【請求項１】
一対の水平偏向コイルと一対の垂直偏向コイルを有する偏向ヨークであって、画面の垂直軸上の縦方向ミスコンバージェンスを補正する一対のコイルを有し、一対のコイルのそれぞれ一方は２重の巻線を巻回することで２つのコイルを有し、この２つのコイルに逆方向の電流を流し、それぞれの電流量を調整することにより、補正磁界を生じさせたり、磁界を生じさせないようにしたことを特徴とする偏向ヨーク。
【発明の詳細な説明】
【０００１】
【発明の属する技術分野】
本発明は、テレビジョン受像機およびコンピュータディスプレイモニタ等に使用される偏向ヨークに関するものである。
【０００２】
【従来の技術】
テレビジョン受像機やコンピュータディスプレイモニタ等に使用される偏向ヨークは一対の水平偏向コイルと一対の垂直偏向コイルを有する。各偏向コイルは左右及び上下に対象に配置されており、それらの作る偏向磁界は左右、上下対称な形状となるよう配線されているが、実際には、コイル自身の巻線成形時のバラツキ及び、偏向ヨーク組み立て時の取り付けバラツキにより偏向コイルの作る磁界が左右、上下に対称とならない場合があり、さらに偏向ヨークを取り付けるブラウン管（ＣＲＴ）の電子銃取り付けバラツキにより電子銃より射出される電子ビームが偏向ヨークの作る偏向磁界の中心を通らない様な状況が生じ、画面上下軸上にミスコンバージェンスが生じる場合がある。このようなミスコンバージェンス軽減の手段として偏向ヨークネック側後端に一対のコイルを設け、このコイルに流れる電流の強さに変化をつけることにより画面上下軸上の縦方向ミスコンバージェンスを軽減させている。
【０００３】
図８は従来の偏向ヨークの斜視図であって、１は偏向ヨーク本体、２は画面上下軸上のミスコンバージェンスを補正する一対のコイル（以下ＹＶコイルという）である。
【０００４】
図９および図１０は従来の偏向ヨークの断面図、図１１、図１２は従来のミスコンバージェンス図、図１３、図１４は従来のＹＶコイル結線図、図１５、図１６は従来の磁力線図である。図９において、３は垂直偏向コイル、４は水平偏向コイル、５はＣＲＴのガラス管、６は垂直偏向磁界、７は青色電子ビーム、８は赤色電子ビーム、９は青色電子ビーム７が垂直偏向磁界から受ける力、１０は赤色電子ビーム８が垂直偏向磁界から受ける力を示している。
【０００５】
図９に示すように理想的な偏向ヨークでは垂直偏向磁界は左右対称であるので、青色電子ビーム７が垂直偏向磁界から受ける力９と、赤色電子ビーム８が垂直偏向磁界から受ける力１０は同一になるが、実際の偏向ヨークでは図１０に示すように垂直偏向磁界が左右対称とならないために、青色電子ビーム７が垂直偏向磁界から受ける力９と、赤色電子ビーム８が垂直偏向磁界から受ける力１０は同一にならない。図１０では赤色電子ビーム８が受ける力１０の方が大きくなっており、この場合には図１１に示すようなミスコンバージェンスが発生する。
【０００６】
図１１の１１は赤色電子ビームの輝線、１２は青色電子ビームの輝線を表している。従来の偏向ヨークでは図１１に示すようなミスコンバージェンスを補正するために図１３に示すＹＶコイルを取り付けているが、一対のＹＶコイルは図１３または図１４のように抵抗１５、１６と可変抵抗１４と結線されており、ＹＶコイルの巻線２ａと２ｂに流れる電流に差をつけられるようにしている。
【０００７】
可変抵抗１４がセンター位置にあるときは、図１５に示すようにＹＶコイルの巻線２ａ、２ｂの作る磁力線６ｂは左右対称であり、この磁力線から青色電子ビーム７が受ける力９と赤色電子ビーム８が受ける力１０は同じ強さであるが、可変抵抗１４を動かすことで図１６のように赤色電子ビームの受ける力１０を青色より強くしたり、逆に青色の方を強くしたりできる。
【０００８】
このＹＶコイルによる赤色、青色電子ビームの受ける力の差を図１０に示した垂直偏向磁界の非対称成分を打ち消す方向にすることで図１１に示したミスコンバージェンスは図１２のように修正される。図１２の１３は青色電子ビーム７の輝線と赤色電子ビーム８の輝線が重なった線を表している。
【０００９】
【発明が解決しようとする課題】
しかしながら、従来のＹＶ補正コイルはミスコンバージェンスの補正が必要でないときも磁力線を発生させており、この磁力線は偏向ヨーク自体の磁力線に加算されて偏向ヨーク全体の磁力線の一部となっている。このためＹＶ補正コイルの補正可能量を増減させたりすることは全体の磁力線量を増減させることとなり、画面全体での画歪やミスコンバージェンスに影響を与えることとなる。このような理由からＹＶ補正量は偏向ヨークの設計時に必要な量を決めその後の変更は容易ではなかった。
【００１０】
そこで本発明は、ＹＶコイルのＹＶ補正可能量を増減しても偏向ヨーク全体の磁力線量を変化させることがなく、画歪やコンバージェンス性能に影響を与えない偏向ヨークを提供することを目的とする。
【００１１】
【課題を解決するための手段】
本発明は、一対の水平偏向コイルと一対の垂直偏向コイルを有する偏向ヨークであって、画面の垂直軸上の縦方向ミスコンバージェンスを補正する一対のコイルを有し、一対のコイルのそれぞれ一方は２重の巻線を巻回することで２つのコイルを有し、この２つのコイルに逆方向の電流を流し、それぞれの電流量を調整することにより、補正磁界を生じさせたり、磁界を生じさせないようにした。
【００１２】
本発明は上記構成によってＹＶコイルのＹＶ補正可能量を増減しても偏向ヨーク全体の磁力線量を変化させることがなく、画歪やコンバージェンス性能に影響を与えない偏向ヨークを提供することができる。
【００１３】
【発明の実施の形態】
本発明は、一対の水平偏向コイルと一対の垂直偏向コイルを有する偏向ヨークであって、画面の垂直軸上の縦方向ミスコンバージェンスを補正する一対のコイルを有し、一対のコイルのそれぞれ一方は２重の巻線を巻回することで２つのコイルを有し、この２つのコイルに逆方向の電流を流し、それぞれの電流量を調整することにより、補正磁界を生じさせたり、磁界を生じさせないようにした。
【００１４】
したがってＹＶコイルのＹＶ補正可能量を増減しても偏向ヨーク全体の磁力線量を変化させることがなく、画歪やコンバージェンス性能に影響を与えない偏向ヨークを提供することができる。
【００１５】
以下、本発明の一実施の形態について説明する。図１は本発明の一実施の形態におけるＹＶコイルの一方の斜視図、図２は本発明の一実施の形態における磁力線図、図３は本発明の一実施の形態における磁力線図、図４は本発明の一実施の形態における磁力線図、図５は本発明の一実施の形態におけるＹＶコイルの固定状態を示す図、図６、図７は本発明の一実施の形態におけるＹＶコイル結線図である。図１において、プラスチック成形された角柱状のボビン２４に銅線２６が巻線されることでＹＶコイルを形成している。ボビン２４は空洞部２５を有し空洞部２５には強磁性体片（図示せず）を通して磁芯としている。磁芯の材質としては通常珪素鋼板のような金属片または、フェライト片を用いる。ボビン２４は通常長さ２０ｍｍ程度で一辺１０ｍｍ程度の角柱状を用い、磁芯は５ｍｍ角程度のものを用いるが、銅線の巻数、必要な補正量などにより各寸法は異なる。２ｃ−Ｓから始まり、２ｃ−Ｆで終わる巻線と、２ｅ−Ｓから始まり２ｅ−Ｆで終わる巻線が一つのボビン２４に２重に巻回されている。
【００１６】
本発明の一対のＹＶコイルは図２に示すように図中のＸ軸上に左右対称に取り付けられている。図５に本発明のＹＶコイルの固定方法の例を示す。図５は偏向ヨーク小径側端を表す図で、一対のＹＶコイルの磁芯２７を偏向ヨーク端面に設けたリブ２８に嵌め合うことで固定している。
【００１７】
本発明のＹＶコイルは図６または図７のように抵抗１５、１６と可変抵抗１４に結線されている。可変抵抗１４がセンター位置にあるときにはＹＶコイルの巻線２ｃ、２ｄ、２ｅ、２ｆの作る磁力線の強さ２３ｃ、２３ｄ、２３ｅ、２３ｆは同一であり２３ｃと２３ｅ、２３ｄと２３ｆはそれぞれ相殺する方向に磁力線を作るので、図２に示すように青色電子ビーム７と赤色電子ビーム８はＹＶコイルから力を受けない。
【００１８】
可変抵抗１４を回した場合には図３に示すようにＹＶコイルの巻線２ｃ、２ｄの作る磁力線が２ｅ、２ｆの作る磁力線より強くなるので全体としては図中破線で示す磁力線を生じることになる。この磁力線から青色電子ビーム７は青色電子ビームが垂直偏向磁界から受ける力９で示す力を受け、赤色電子ビーム８は赤色電子ビームが垂直偏向磁界から受ける力１０で示す力を受ける。このため青色電子ビーム７をより上方へ偏向させることができる。可変抵抗を逆に回すことで図４に示すように赤色電子ビーム８をより上方へ偏向させることもできる。
【００１９】
このように青色電子ビーム７と赤色電子ビーム８の上下方向の偏向量の差を図８に示した垂直偏向磁界の左右対称ズレを打ち消す方向にすることで、図１１に示したミスコンバージェンスは図１２のように改善される。図１２の１３は赤色電子ビームの輝線と青色電子ビームの輝線の重なった輝線を示している。
【００２０】
上記のように本発明の偏向ヨークではＹＶ補正が必要ない場合にはＹＶコイルからは磁力線が発生せず、ＹＶ補正が必要なときに生じる磁力線もＣＲＴ中心軸部では相殺されているので偏向ヨーク全体の磁力線量はＹＶコイルの有無によって変化しない。仮にＹＶコイルの補正可能量を変化させても、全体の磁力線量が変化しないので画歪、コンバージェンス性能への影響は出ない。
【００２１】
【発明の効果】
本発明によれば、ＹＶコイルのＹＶ補正可能量を増減しても偏向ヨーク全体の磁力線量を変化させることがなく、画歪やコンバージェンス性能に影響を与えない偏向ヨークを提供することができる。
【図面の簡単な説明】
【図１】本発明の一実施の形態におけるＹＶコイルの一方の斜視図
【図２】本発明の一実施の形態における磁力線図
【図３】本発明の一実施の形態における磁力線図
【図４】本発明の一実施の形態における磁力線図
【図５】本発明の一実施の形態におけるＹＶコイルの固定状態を示す図
【図６】本発明の一実施の形態におけるＹＶコイル結線図
【図７】本発明の一実施の形態におけるＹＶコイル結線図
【図８】従来の偏向ヨークの斜視図
【図９】従来の偏向ヨークの断面図
【図１０】従来の偏向ヨークの断面図
【図１１】従来のミスコンバージェンス図
【図１２】従来のミスコンバージェンス図
【図１３】従来のＹＶコイル結線図
【図１４】従来のＹＶコイル結線図
【図１５】従来の磁力線図
【図１６】従来の磁力線図
【符号の説明】
１　偏向ヨーク本体
２ａ，２ｂ，２ｃ，２ｄ　ＹＶコイルの巻線
７　青色電子ビーム
８　赤色電子ビーム
１４　可変抵抗
１５，１６　抵抗
【図１】
2004063380.tif 000003
【図２】
2004063380.tif 000004
【図３】
2004063380.tif 000005
【図４】
2004063380.tif 000006
【図５】
2004063380.tif 000007
【図６】
2004063380.tif 000008
【図７】
2004063380.tif 000009
【図８】
2004063380.tif 000010
【図９】
2004063380.tif 000011
【図１０】
2004063380.tif 000012
【図１１】
2004063380.tif 000013
【図１２】
2004063380.tif 000014
【図１３】
2004063380.tif 000015
【図１４】
2004063380.tif 000016
【図１５】
2004063380.tif 000017
【図１６】
2004063380.tif 000018